(57)【要約】本開示は、既存の技術における公開済み情報の低い効率および精度という問題を解決するために、情報を公開する方法および装置を開示する。本方法は、現行ページの一次情報を区分化し、現行ページから少なくとも１つの特徴用語を抽出し、抽出された特徴用語が現行ページに出現する回数を決定し、抽出された特徴用語が現行ページに出現する決定された回数と、設定されたカテゴリモデルとに基づいて、現行ページのカテゴリを決定し、決定されたカテゴリに属する関連情報を、現行ページに公開する。現行ページから特徴用語を直接的に抽出し、特徴用語が現行ページに出現する回数と、設定されたカテゴリモデルとに基づいて現行ページのカテゴリを決定することによって、例示の実施形態は、現行ページに対する手動のラベル付けを実施する必要がない。したがって、情報公開の効率を改善することが可能である。さらにそのうえ、人為的エラーが導入されないため、情報公開の精度が増加する。
2015511051.tif 000002
【特許請求の範囲】
【請求項１】
情報を公開する方法であって、
現行ページの一次情報に対して用語区分化を実施し、前記現行ページから少なくとも１つの特徴用語を抽出することと、
前記抽出された特徴用語が前記現行ページに出現する回数を決定することと、
前記特徴用語が前記現行ページに出現する前記決定された回数と、設定されたカテゴリモデルとに基づいて、前記現行ページのカテゴリを決定することと、
前記現行ページ中の前記決定されたカテゴリに属する関連情報を公開することと、
を含む、方法。
【請求項２】
前記現行ページの前記一次情報に対して用語区分化を実施することが、
前記現行ページの前記一次情報を、副情報の異なる領域に分割することと、
副情報の前記分割された領域を個別に区分化することと、
を含む、請求項１に記載の方法。
【請求項３】
前記抽出された特徴用語が前記現行ページに出現する前記回数を決定することが、
抽出された前記少なくとも１つの特徴用語に対して、次のこと：
副情報の各々の分割された領域に対して、前記特徴用語が副情報の前記分割された領域に出現する回数を決定することと、
前記特徴用語が副情報の前記分割された領域に出現する前記回数と、前記領域副情報に対して設定された重みとの積を決定することと、
副情報の前記分割された領域の積の和を、前記特徴用語が前記現行ページに出現する前記回数として定義することと、
を実施することを含む、請求項２に記載の方法。
【請求項４】
前記設定されたカテゴリモデルが、
設定された数を超える回数に対して設定された時間期間内にクリックされた全ての公開された関連情報を抽出することと、
前記公開済み関連情報に対して、前記公開済み関連情報のカテゴリを個々に決定することと、
各々の異なるカテゴリに対して、次のこと：
抽出された前記カテゴリの公開済み関連情報から、公開済み関連情報の第１の設定数を選択することと、
前記選択された第１の設定数の公開済み関連情報片に対して、公開済み関連情報に用語区分化を実施して、選択された前記公開済み関連情報から少なくとも１つの特徴用語を抽出することと、
前記選択された第１の設定数の前記公開済み関連情報から抽出された全ての特徴用語に対して、等式
【数１】
2015511051.tif 000011
を用いてあるカテゴリ下の特徴用語の重みを決定することであって、式中、ｋは、そのカテゴリがｋ番目のカテゴリであることを表し、ｊは、その特徴用語が全ての抽出された特徴用語中でｊ番目の特徴用語であることを表し、Ｗkjは、前記カテゴリ中の特徴用語の重みであり、ｉは、前記カテゴリの前記選択された第１の設定数の前記公開済み関連情報の中でｉ番目の公開済み関連情報片を表し、ｍは、前記第１の設定数であり、Ｄijは、選択された前記ｉ番目の公開済み関連情報中に前記特徴用語が出現する回数であり、ｌ1は、１以上の実数であり、ｎは、前記公開済み関連情報の前記選択された第１の設定数中から抽出された全ての特徴用語の個数である、重みを決定することと、
等式Ｓｉｇｍａ＿ｋ＝ΣjＷkj（式中、Ｓｉｇｍａ＿ｋが前記カテゴリの重みである）を用いて前記カテゴリの前記重みを決定することと、
異なるカテゴリの各々のカテゴリの前記決定された重みと、前記カテゴリの前記選択された第１の設定数の公開済み関連情報から抽出された全ての特徴用語のうちの前記特徴用語の前記決定された重みと、を前記設定されたカテゴリモデルとして定義することと、
を実施することと、を含む、請求項１に記載の方法。
【請求項５】
前記カテゴリ中の前記特徴用語の前記重みを決定することの後で、前記方法が、
各々のカテゴリに対して、前記カテゴリの前記選択された第１の設定数の公開済み関連情報内の前記特徴用語を含む公開済み関連情報片の数を個別に決定することと、
各々のカテゴリに対して前記決定された数の和を決定することと、
前記カテゴリ中の前記特徴用語の重みを、前記カテゴリ中の前記特徴用語の前記重みと前記和の逆数との積として再定義することと、
をさらに含む、請求項１に記載の方法。
【請求項６】
前記カテゴリの前記重みを決定することの後で、前記方法が、
設定された時間期間内に、事前設定された数を超える回数クリックされた全ての抽出された公開済み関連情報片の数を、第１のパラメータとして定義することと、
前記抽出された公開済み関連情報片の全てのうちで前記カテゴリに属する公開済み関連情報片の前記数を、第２のパラメータとして定義することと、
前記第２のパラメータと前記第１のパラメータとの間の比を決定することと、
前記カテゴリの前記決定された重みとこの比との積を、カテゴリの前記重みとして再定義することと、
をさらに含む、請求項１に記載の方法。
【請求項７】
前記特徴用語が前記現行ページに出現する前記決定された回数と、前記設定されたカテゴリモデルとに基づいて、前記現行ページの前記カテゴリを決定することが、
各々のカテゴリに対して、等式
【数２】
2015511051.tif 000012
を用いて前記現行ページが前記カテゴリに属する推定値を決定することであって、式中、Ｐｒｏｂは、前記現行ページが前記カテゴリに属する推定値であり、Ｎは、前記現行ページからの抽出された特徴用語の数であり、ｈは、前記現行ページからのｈ番目の抽出された特徴用語であり、Ｄhは、前記ｈ番目の抽出された特徴用語が前記現行ページに出現する回数であり、Ｗkhは、ｋ番目のカテゴリ下での前記ｈ番目の抽出された特徴用語の重みであり、ｌ2は、１以上の実数である、決定することと、
異なるカテゴリに対して決定された前記推定値の大きさに基づいて、前記推定値の降順に従って第２の設定数のカテゴリを選択して、前記選択されたカテゴリを前記現行ページのカテゴリとして設定することと、
を含む、請求項１に記載の方法。
【請求項８】
情報を公開する装置であって、
現行ページ中の一次情報に対して用語区分化を実施し、前記現行ページから少なくとも１つの特徴用語を抽出するために用いられる特徴用語抽出モジュールと、
前記抽出された特徴用語が前記現行ページに出現する回数を決定するために用いられる頻度決定モジュールと、
前記特徴用語が前記現行ページに出現する前記決定された回数と、設定されたカテゴリモデルとに基づいて、前記現行ページのカテゴリを決定するために用いられるカテゴリ決定モジュールと、
決定されたカテゴリに属する関連情報を前記現行ページ中に公開するために用いられる公開モジュールと、
を備える装置。
【請求項９】
前記現行ページの前記一次情報を、副情報の様々な領域に分割することと、前記分割された領域の副情報に対して用語区分化を個別に実施することと、を含む、請求項８に記載の装置。
【請求項１０】
前記頻度決定モジュールが、前記特徴用語が副情報の領域に出現するそれぞれの回数を、副情報の前記分割された領域に対して個別に決定することと、前記特徴用語が副情報の前記領域に出現する前記それぞれの回数と、副情報の前記領域に対して設定された重みとの積を決定することと、前記副情報の前記領域の前記積の和を、前記特徴用語が前記現行ページに出現する前記回数として設定することと、のために用いられる、請求項９に記載の装置。
【請求項１１】
前記カテゴリ決定モジュールが、
モデル設定ユニットであって、設定された数を超える回数に対して設定された時間期間内にクリックされた全ての公開済み関連情報を抽出することと、前記公開済み関連情報に対して、前記公開済み関連情報のカテゴリを個々に決定することと、各々の異なるカテゴリに対して、次のこと：抽出された前記カテゴリの公開済み関連情報から、第１の設定数の公開済み関連情報を選択することと、前記選択された第１の設定数の公開済み関連情報片に対して、公開済み関連情報に用語区分化を実施することと、選択された前記公開済み関連情報から少なくとも１つの特徴用語を抽出することと、前記選択された第１の設定数の前記公開済み関連情報から抽出された全ての特徴用語に対して、等式
【数３】
2015511051.tif 000013
を用いてあるカテゴリ下の特徴用語の重みを決定することであって、式中、ｋは、このカテゴリがｋ番目のカテゴリであることを表し、ｊは、その特徴用語が全ての抽出された特徴用語中でｊ番目の特徴であることを表し、Ｗkjは、前記カテゴリ中の特徴用語の重みであり、ｉは、前記カテゴリの前記選択された第１の設定数の前記公開済み関連情報のｉ番目の公開済み関連情報片を表し、ｍは、前記第１の設定数であり、Ｄijは、選択された前記ｉ番目の公開済み関連情報中に前記特徴用語が出現する回数であり、ｌ1は、１以上の実数であり、ｎは、前記選択された第１の設定数の前記公開済み関連情報の中から抽出された全ての特徴用語の個数である、決定することと、等式Ｓｉｇｍａ＿ｋ＝ΣjＷkj（式中、Ｓｉｇｍａ＿ｋが前記カテゴリの重みである）を用いて前記カテゴリの前記重みを決定することと、様々なカテゴリの各々のカテゴリの前記決定された重みと、前記選択された第１の設定数の前記カテゴリの公開済み関連情報から抽出された全ての特徴用語のうちの前記特徴用語の前記決定された重みとを前記設定されたカテゴリモデルとして定義することと、を実施することと、のために用いられるモデル設定ユニットを備える、請求項８に記載の装置。
【請求項１２】
前記モデル設定ユニットが、前記カテゴリ中の前記特徴用語の前記重みを決定することの後で、各々のカテゴリに対して、前記選択された第１の設定数の前記カテゴリの公開済み関連情報内の前記特徴用語を含む公開済み関連情報片の数を個別に決定することと、各々のカテゴリの前記決定された数の和を決定することと、前記カテゴリ中の前記特徴用語の重みを、前記カテゴリ中の前記用語の前記重みと前記和の逆数との積として再定義することと、のためにさらに用いられる、請求項１１に記載の装置。
【請求項１３】
前記モデル設定ユニットが、前記カテゴリの前記重みを決定することの後で、設定された時間期間内に、事前設定された数を超える回数クリックされた全ての抽出された公開済み関連情報片の数を、第１のパラメータとして定義することと、前記抽出された公開済み関連情報片の全てのうちで前記カテゴリに属する公開済み関連情報片の前記数を、第２のパラメータとして定義することと、前記第２のパラメータと前記第１のパラメータとの間の比を決定することと、前記カテゴリの前記決定された重みとこの比との積を、カテゴリの前記重みとして再定義することと、のためにさらに用いられる、請求項１１に記載の装置。
【請求項１４】
前記カテゴリ決定モジュールが、カテゴリ決定ユニットであって、各々のカテゴリに対して、等式
【数４】
2015511051.tif 000014
を用いて前記現行ページが前記カテゴリに属する推定値を決定することであって、式中、Ｐｒｏｂは、前記現行ページが前記カテゴリに属する推定値であり、Ｎは、前記現行ページからの抽出された特徴用語の数であり、ｈは、前記現行ページからのｈ番目の抽出された特徴用語を表し、Ｄhは、前記ｈ番目の抽出された特徴用語が前記現行ページに出現する回数であり、Ｗkhは、ｋ番目のカテゴリ下での前記ｈ番目の抽出された特徴用語の重みであり、ｌ2は、１以上の実数である、決定することと、様々なカテゴリに対して決定された前記推定値の大きさに基づいて、前記推定値の降順に従って第２の設定数のカテゴリを選択することと、前記選択されたカテゴリを前記現行ページのカテゴリとして設定することと、のために用いられるカテゴリ決定ユニットを備える、請求項８に記載の装置。
【請求項１５】
実行可能な命令を記憶する１つ以上の記憶媒体であって、前記命令は、１つ以上のプロセッサによって実行されるときに、前記１つ以上のプロセッサに対して、
現行ページの一次情報に対して用語区分化を実行して、前記現行ページから少なくとも１つの特徴用語を抽出することと、
前記抽出された特徴用語が、前記現行ページに出現する回数を決定することと、
前記特徴用語が前記現行ページに出現する前記決定された回数と、設定されたカテゴリモデルとに基づいて、前記現行ページのカテゴリを決定することと、
前記決定されたカテゴリに属する関連情報を、前記現行ページ中に公開することと、
を含む行為を実施させる、１つ以上の記憶媒体。
【請求項１６】
前記現行ページの前記一次情報に対して用語区分化を実施することが、
前記現行ページの前記一次情報を、副情報の様々な領域に分割することと、
前記分割された副情報領域を個別に区分化することと、
を含む、
請求項１５に記載の１つ以上の記憶媒体。
【請求項１７】
前記抽出された特徴用語が前記現行ページに出現する前記回数を決定することが、
抽出された前記少なくとも１つの特徴用語に対して、次のこと：
前記特徴用語が副情報の前記分割された領域に出現する回数を決定することと、
前記特徴用語が副情報の前記分割された領域に出現する前記回数と、前記領域副情報に対して設定された重みとの積を決定することと、
副情報の前記分割された領域の積の和を、前記特徴用語が前記現行ページに出現する前記回数として定義することと、を実施すること、
を含む、請求項１６に記載の１つ以上の記憶媒体。
【請求項１８】
前記設定されたカテゴリモデルが、
設定された数を超える回数に対して設定された時間期間内にクリックされた全ての公開済み関連情報を抽出することと、
前記公開済み関連情報に対して、前記公開済み関連情報のカテゴリを個々に決定することと、
各々の異なるカテゴリに対して、次のこと：
抽出された前記カテゴリの公開済み関連情報から、第１の設定数の公開済み関連情報を選択することと、
前記選択された第１の設定数の公開済み関連情報片に対して、公開済み関連情報に用語区分化を実施することと、
選択された前記公開済み関連情報から少なくとも１つの特徴用語を抽出することと、
前記選択された第１の設定数の公開済み関連情報から抽出された全ての特徴用語に対して、等式
【数５】
2015511051.tif 000015
を用いてあるカテゴリ下の特徴用語の重みを決定することであって、式中、ｋは、このカテゴリがｋ番目のカテゴリであることを表し、ｊは、その特徴用語が全ての抽出された特徴用語中でｊ番目の特徴用語であることを表し、Ｗkjは、前記カテゴリ中の特徴用語の重みであり、ｉは、前記カテゴリ中の前記選択された第１の設定数の前記公開済み関連情報の中でｉ番目の公開済み関連情報片を表し、ｍは、前記第１の設定数であり、Ｄijは、選択された前記ｉ番目の公開済み関連情報中に前記特徴用語が出現する回数であり、ｌ1は、１以上の実数であり、ｎは、前記公開済み関連情報の前記選択された第１の設定数中から抽出された全ての特徴用語の個数である、決定することと、
Ｓｉｇｍａ＿ｋ＝ΣjＷkj（式中、Ｓｉｇｍａ＿ｋが前記カテゴリの重みである）を用いて前記カテゴリの前記重みを決定することと、
様々なカテゴリの各々のカテゴリの前記決定された重みと、前記選択された第１の設定数の前記カテゴリの公開済み関連情報から抽出された全ての特徴用語のうちの前記特徴用語の前記決定された重みとを前記設定されたカテゴリモデルとして定義することと、
を実施することと、を含む、請求項１５に記載の１つ以上の記憶媒体。
【請求項１９】
前記カテゴリ中の前記特徴用語の前記重みを決定することの後で、前記行為が、
各々のカテゴリに対して、前記選択された第１の設定数の前記カテゴリの公開済み関連情報内の前記特徴用語を含む公開済み関連情報片の数を個別に決定することと、
各々のカテゴリに対して前記決定された数の和を決定することと、
前記カテゴリ中の前記特徴用語の重みを、前記カテゴリ中の前記特徴用語の前記重みと前記和の逆数との積として再定義することと、
をさらに含む、請求項１５に記載の１つ以上の記憶媒体。
【請求項２０】
前記カテゴリの前記重みを決定することの後で、前記行為が、
設定された時間期間内に、事前設定された数を超える回数クリックされた全ての抽出された公開済み関連情報片の数を、第１のパラメータとして定義することと、
前記抽出された公開済み関連情報片の全てのうちで前記カテゴリに属する公開済み関連情報片の前記数を、第２のパラメータとして定義することと、
前記第２のパラメータと前記第１のパラメータとの間の比を決定することと、
前記カテゴリの前記決定された重みとこの比との積を、カテゴリの前記重みとして再定義することと、
をさらに含む、請求項１５に記載の１つ以上の記憶媒体。
【発明の詳細な説明】
【技術分野】
【０００１】
関連出願の相互参照
本出願は、「ＭＥＴＨＯＤ  ＡＮＤ  ＡＰＰＡＲＡＴＵＳ  ＯＦ  ＰＵＢＬＩＳＨＩＮＧ  ＩＮＦＯＲＭＡＴＩＯＮ」という題名の、２０１２年３月２２日に提出された中国特許出願第２０１２１００７８４３９．７号に対する外国優先権を主張するものであり、これはその全体が参照により本明細書に組み込まれる。
【０００２】
本開示は、通信技術の分野に関し、特定的には、情報を公開する方法および装置に関する。
【背景技術】
【０００３】
インターネット技術の発展により、人々は、ウェブを通じてより便利に情報を取得し、かつ公開することが可能である。ユーザが、あるウェブページを閲覧するとき、図１に示すように、一次情報に関係する一部の関連情報が、一次情報をウェブページ上に表示することに加えて、ウェブページ上に公開され得る。
【０００４】
図１は、既存の技術に従って、一次情報を現行ページに提示し、かつ一次情報に関係する関連情報を公開する略図である。図１では、現行ページ１０１の領域のほとんどを用いて、一次情報１０２を表示しており、かつ一次情報１０２に関係する関連情報１０３が、残りの領域に公開され得る。例えば、一次情報１０２がブランドＡの携帯電話に関係する情報であれば、公開される一次情報１０２に関係する関連情報１０３は、ブランドＡの他の電子製品の情報または類似の機能性を有する携帯電話の情報を含み得る。
【０００５】
関連情報があるウェブページ上に公開されることになっているとき、ウェブページのカテゴリは、ウェブページの様々な多様性のために、前もって分類される必要がある。問題となっているウェブページのカテゴリが次に決定され、決定されたカテゴリに属する関連情報がウェブページ上に公開される。
【０００６】
分類されたカテゴリの例は、教育、軍部、旅行、自動車、技術などのようなカテゴリを含み得る。関連情報を現行ページに公開するときには、現行ページが属するカテゴリが最初に決定される。現行ページのカテゴリが「自動車」であると決定されると、「自動車」というカテゴリ下の関連情報が、現行ページに公開される。
【０００７】
既存の技術では、現行ページのカテゴリを決定する方法は、具体的には、現行ページに手動のラベル付けをすることと、現行ページに対応するラベルに基づいて、設定されたカテゴリモデルを用いて現行ページのカテゴリを決定することを含む。カテゴリモデルを設定する方法は、ある数のページに周知のカテゴリを手動のラベル付けをすることと、ある数のページのカテゴリとおよび対応するラベルを訓練サンプルとして用いることと、カテゴリモデルを取得するようにそれらを訓練することと、を含む。
【０００８】
しかしながら、ウェブページの数は膨大であるため、ページに手動のラベル付けをする方法は、関連情報を公開する効率を下げるだけではなく、多くの人的資源の費用がかかる。さらにその上、異なる人々の主観的知覚の相違により、ページに手動のラベル付けをする精度は比較的低い。これで、人為的エラーと、不正確な関連情報がページに公開される可能性とが導入され、これで、公開される情報の精度が減少する。
【発明の概要】
【０００９】
この概要は、以下の詳細な説明中にさらに説明される概念の選択を導入するために提供される。この概要は、請求される主題の全ての重要な特徴または本質的な特徴を認識することを意図するものでもなければ、請求される主題の範囲を決定する際の支援としてのみ用いられることを意図するものでもない。例えば、「特徴」という用語は、上記の文脈で許容される、および本開示全体にわたる、デバイス（複数可）、システム（複数可）、方法（複数可）、および／またはコンピュータ読み取り可能命令のことであり得る。
【００１０】
本開示の例示の実施形態は、既存の技術における情報を公開する効率および精度が低いという問題を解決するために、情報を公開する方法および装置を提供する。
【００１１】
本開示の例示の実施形態は、
現行ページの一次情報に対して用語区分化を実施して、現行ページから少なくとも１つの特徴用語を抽出することと、
抽出された特徴用語が現行ページに出現する回数を決定することと、
特徴用語が現行ページに出現する決定された回数に基づいて、設定されたカテゴリモデルを用いて、現行ページのカテゴリを決定することと、
現行ページ中の決定されたカテゴリに属する関連情報を公開することと、
を含む、情報を公開する方法を提供する。
【００１２】
本開示の例示の実施形態は、
現行ページ中の一次情報に対して用語区分化を実施し、現行ページから少なくとも１つの特徴用語を抽出するために用いられる特徴用語抽出モジュールと、
抽出された特徴用語が現行ページに出現する回数を決定するために用いられる頻度決定モジュールと、
特徴用語が現行ページに出現する決定された回数に基づいて、設定されたカテゴリモデルを用いて、現行ページのカテゴリを決定するために用いられるカテゴリ決定モジュールと、
決定されたカテゴリに属する関連情報を現行ページに公開するために用いられる公開モジュールと、
を含む、情報を公開する装置を提供する。
【００１３】
本開示の例示の実施形態は、情報を公開する方法および装置を提供する。本方法は、現行ページの一次情報を区分化し、現行ページから少なくとも１つの特徴用語を抽出し、抽出された特徴用語が現行ページに出現する回数を決定し、特徴用語が現行ページに出現する決定された回数に基づいて、設定されたカテゴリモデルを用いて現行ページのカテゴリを決定し、決定されたカテゴリに属する関連情報を現行ページに公開する。現行ページから特徴用語を直接に抽出して、特徴用語が現行ページに出現する回数と、設定されたカテゴリモデルとに基づいて現行ページのカテゴリを決定することによって、例示の実施形態は、現行ページに対して手動のラベル付けを実施する必要がない。したがって、情報公開の効率を改善することが可能である。さらにその上、人為的エラーがなんら導入されないため、情報公開の精度が増す。
【図面の簡単な説明】
【００１４】
【図１】既存の技術において、現行ページに一次情報を提示して、一次情報に関連する関連情報を公開する略図である。
【図２】本開示の例示の実施形態に従って情報を公開する過程である。
【図３】本開示の例示の実施形態に従ってカテゴリモデルを設定する過程である。
【図４】本開示の例示の実施形態に従って、現行ページが属するカテゴリを決定する過程である。
【図５】本開示の例示の実施形態に従って情報を公開する装置の略図である。
【図６】図５に説明するような例としての装置の略図である。
【発明を実施するための形態】
【００１５】
膨大な数のウェブページのため、ページに手動のラベル付けをする方法は、関連情報を公開する効率を減少させるだけではなく、多くの人的資源の費用がかかる。さらにその上、各々の人の主観的知覚の相違により、ページに手動のラベル付けをする精度は比較的低く、これで、人為的エラーと、不正確な関連情報がページに公開される可能性と、公開される情報の精度の減少と、が導入される。公開される情報の効率および精度を向上させるため、本開示の例示の実施形態は、ウェブページに手動のラベル付けをする方法を用いず、現行ページの一次情報に用語区分化を直接に実施して、その特徴用語を抽出する。本開示の例示の実施形態は、特徴用語が現行ページに出現する回数に基づいて、さらに設定されたカテゴリモデルに基づいて現行ページのカテゴリを決定し、決定されたカテゴリに属する関連情報を現行ページに公開する。
【００１６】
本開示の実施形態を、添付図面と関連して詳細に説明する。
【００１７】
図２は、本開示の例示の実施形態に従って情報を公開する過程である。
【００１８】
ブロックＳ２０１は、現行ページの一次情報に対して用語区分化を実施し、現行ページから少なくとも１つの特徴用語を抽出する。
【００１９】
この実施形態においては、現行ページの一次情報に対して用語区分化を実施するときに、現行ページの一次情報は、異なる領域の副情報に分割され得るし、分割された領域の副情報に対して用語区分化を実施することが可能である。
【００２０】
例えば、現行ページの一次情報は、ブランドＡの携帯電話のビジネス情報であり得る。一般的に、ビジネス情報は、タイトル領域、属性内容領域、および共通内容領域に分割され得る。したがって、一次情報の場合、タイトルは、一次情報のタイトル情報であり、一方、属性内容は、一般的に、ブランドＡの携帯電話の製品情報（例えば、仕様、モデル番号など）であり、共通内容領域は、一般的に、ブランドＡの携帯電話の説明情報である。したがって、一次情報は、タイトル領域の副情報と、属性内容領域の副情報と、共通内容領域の副情報とに分割され得るし、用語区分化は、これらの領域の副情報に対して実施することが可能である。
【００２１】
用語区分化を一次情報に対して実施した後、区分化された用語に対してフィルタリングを実施して、事前定義された用語を除去し得る。事前定義された用語は、ある無意味のストップワード（「〜の」などのそれ）および一般化された用語（「処理」、「代理店」、「卸売り」などのそれ）として定義され得る。事前定義された用語を除去した後に残る用語は、現行ページで特徴用語として抽出される。
【００２２】
ブロックＳ２０２は、特徴用語が現行ページに出現する回数を決定する。
【００２３】
実際の適用における特徴用語を考慮すると、異なる領域におけるその出現は、現行ページにとっては異なる程度の重要性を有し得る。上記の例を用い続ける際に、現行ページにおけるブランドＡの携帯電話の一次情報の場合、特徴用語がタイトル領域に出現すれば、現行ページは、この特徴用語に関連するページであるより高い可能性を有することになる。例えば、現行ページの一次情報のタイトル領域は、特徴用語「ブランドＡ」を含む。ある特徴用語が共通内容領域に出現すれば、現行ページは、その特徴用語に関連するページである低い可能性を有する。例えば、現行ページの一次情報の共通内容領域は、「画面サイズ」という特徴用語を含む。
【００２４】
したがって、公開済みの情報の精度をさらに向上させるために、抽出された特徴用語が現行ページに出現する回数を決定する方法は、少なくとも１つの抽出された特徴用語の場合、複数の領域の副情報に対して、特徴用語がある領域の副情報に出現するそれぞれの回数を個別に決定することと、特徴用語がこの領域の副情報に出現するそれぞれの回数と、この領域の副情報に対して設定された重みとの積を決定することと、この領域の副情報の積の和を、特徴用語が現行ページに出現する回数として設定することとを、含み得る。
【００２５】
上記の例を用い続ける際に、抽出された特徴用語「ブランドＡ」が、一次情報のタイトル領域の副情報に一回（タイトル領域の副情報に対して設定される重みは２である）、属性内容領域の副情報に５回（属性内容領域の副情報に対して設定される重みは１．５である）、共通内容領域の副情報に１２回（共通内容領域の副情報に対して設定される重みは１である）出現すれば、「ブランドＡ」という特徴用語が現行ページに出現する決定される回数は、１×２＋５×１．５＋１２×２＝２１．５である。
【００２６】
ブロックＳ２０３は、特徴用語が現行ページに出現する決定された回数に基づいて、さらに設定されたカテゴリモデルに基づいて、現行ページのカテゴリを決定する。
【００２７】
設定されたカテゴリは所定のものであり、オフラインモードで設定することが可能である。現行ページのカテゴリは、オンラインモードにおける設定されたカテゴリモデルと、特徴用語が現行ページに出現する回数とに基づいて決定することが可能である。
【００２８】
さらにその上、実際の適用では、関連情報が実際に属する情報カテゴリは、関連情報が公開されるページのページカテゴリと一致し得ない。例えば、関連情報の情報カテゴリには、農業情報、エネルギー情報、遷移情報、冶金学情報、自動車／オートバイ情報、ファッション情報、靴／バッグ情報、美容術情報、おもちゃ情報などが含まれ得る。そして、関連情報が公開されるウェブページのページカテゴリには、教育ページ、軍事ページ、旅行ページ、自動車ページ、技術ページなどが含まれ得る。このように、関連情報のカテゴリは、ページカテゴリとは一致しないように見える。したがって、情報公開の精度をさらに向上させるために、本開示の例示の実施形態は、関連情報が公開されるページのページカテゴリを、関連情報などの、すなわち、同じカテゴリシステムに対応するこれらの２つのカテゴリを有する情報カテゴリに基づいて直接に分類する。
【００２９】
本実施形態におけるカテゴリとは、同じカテゴリシステムを用いて分類された情報カテゴリまたはページカテゴリのことである。
【００３０】
ブロックＳ２０４は、決定されたカテゴリの関連情報を現行ページに公開する。
【００３１】
現行ページのカテゴリが決定されると、このカテゴリの関連情報を現行ページに公開して、関連情報の公開を完了させることが可能である。
【００３２】
上記の過程は、現行ページの一次情報に対して用語区分化を実施し、特徴用語を抽出し、各々の抽出された特徴用語が現行ページに出現する回数を決定し、現行ページのカテゴリを、各々の抽出された特徴用語が現行ページに出現する回数と、設定されたカテゴリモデルとに基づいて決定し、決定されたカテゴリの関連情報を現行ページに公開する。本実施形態は、特徴用語を現行ページから抽出し、特徴用語が現行ページに出現する回数に基づいて、さらに設定されたカテゴリモデルに基づいて現行ページのカテゴリを決定する。したがって、現行ページに対する手動のラベル付けはもはや不必要である。したがって、情報公開の効率を向上させることが可能であり、人為的エラーは導入されず、これで情報公開の精度が向上する。
【００３３】
図２に示す過程は、設定されたカテゴリモデルと、特徴用語が現行ページに出現する回数とに基づいて現行ページのカテゴリを決定し、対応する関連情報を現行ページに公開するオンライン過程である。図３は、以下に説明するように、オフラインモードでカテゴリモデルを設定する例示の過程を示す。
【００３４】
図３は、具体的には次のブロックを含む本開示の例示の実施形態に従ってカテゴリモデルを設定する過程である。
【００３５】
ブロックＳ３０１は、設定された時間期間内に設定数を超える回数クリックされた全ての公開済み関連情報を抽出する。
【００３６】
本実施形態では、あるページにすでに公開済みの関連情報の場合、この公開済み関連情報が設定された数を超える回数このページでクリックされると、公開済み関連情報は、正しいカテゴリに対応するページに公開されていると考慮され得る。したがって、設定された数を超える回数に対して設定された時間期間内にクリックされた全ての公開済み関連情報が、後続の手順でカテゴリモデルを取得するための訓練用に選択され得る。この設定された時間期間および設定された数は、必要性に基づいて設定され得る。ある例には、３カ月以内に１００回を超える回数クリックされた全ての公開済み関連情報を抽出することを含み得る。
【００３７】
ブロックＳ３０２は、公開済み関連情報に対する公開済み関連情報のカテゴリを個々に決定する。
【００３８】
言い換えれば、抽出された各々の公開済み関連情報片のカテゴリが決定される。
【００３９】
ブロックＳ３０３は、各々の異なるカテゴリに対して、抽出されたそのカテゴリの公開済み関連情報から第１の設定数個の公開済み関連情報片を選択する。
【００４０】
言い換えれば、各々のカテゴリの公開済み関連情報から、第１の設定された数の公開済み関連情報片が選択される。これは、抽出される全ての公開済み関連情報において、異なるカテゴリでのそれぞれの数の公開済み関連情報片は同じではないことがあり得るからである。例えば、抽出された１０００片の公開済み関連情報の中で、５００片がカテゴリＡに属し得るし、３００片がカテゴリＢに属し得る、２００片がカテゴリＣに属し得る。したがって、異なるカテゴリ中の同じ数の公開済み関連情報片が、カテゴリモデルの精度を向上させるために、後続の手順の間に、カテゴリモデルを訓練して取得するための訓練用サンプルとして選択される必要がある。例えば、１００片の（すなわち、１００である第１の設定数の）公開済み関連情報が、各々のカテゴリに対して選択される。
【００４１】
ブロックＳ３０４は、選択された第１の設定数の公開済み関連情報片について、公開済み関連情報に対して用語区分化を実施し、選択された公開済み関連情報から少なくとも１つの関連用語を抽出する。
【００４２】
各々の異なるカテゴリに対して、そのカテゴリの第１の設定数の公開済み関連情報片が選択されると、本実施形態は、選択された各々の公開済み関連情報片に対する公開済み関連情報に対して用語区分化を実施し、公開済み関連情報の区部化の後で、公開済み関連情報から特徴用語を抽出する。公開済み関連情報が区分化されるとき、現行ページの一次情報を区分化する同じ方法を用い得る。具体的には、公開済み関連情報は、副情報の異なる領域として最初に分割され、副情報の分割された領域は、その後で区分化される。その詳細は、本明細書中に繰り返し説明される。
【００４３】
ブロックＳ３０５は、選択された第１の設定数の公開済み関連情報片から抽出された全ての特徴用語に対して、等式
【００４４】
【数１】
2015511051.tif 000003
【００４５】
を用いてあるカテゴリ下での特徴用語の重みを決定する。
ｋは、そのカテゴリがｋ番目のカテゴリであることを表す。ｊは、その特徴用語が全ての抽出された特徴用語中でｊ番目の特徴用語であることを表す。Ｗkjは、カテゴリ中の特徴用語の重みである。ｉは、カテゴリの公開済みの選択された第１の設定数の関連情報中でｉ番目の公開済み関連情報片を表す。ｍは、第１の設定数である。Ｄijは、選択されたｉ番目の公開済み関連情報中に特徴用語が出現する回数である。ｌ1は、１以上の実数である。ｎは、公開済みの選択された第１の設定数の関連情報中から抽出された全ての特徴用語の個数である。
【００４６】
例えば、ｋ番目のカテゴリに対して、３片の公開済み関連情報が選択される（すなわち、上の等式で第１の設定数が３で、ｍ＝３である）。第１の公開済み関連情報片から抽出された特徴用語は、特徴用語Ａおよび特徴用語Ｂである。第２の公開済み関連情報片から抽出された特徴用語は、特徴用語Ｂおよび特徴用語Ｃである。第３の公開済み関連情報片から抽出された特徴用語は、特徴用語Ａおよび特徴用語Ｄである。したがって、ｋ番目のカテゴリの公開済み関連情報のこれら３つの選択された片から抽出された全ての特徴用語は、特徴用語Ａ、特徴用語Ｂ、特徴用語Ｃ、および特徴用語Ｄである。言い換えれば、選択された第１の設定数の公開済み関連情報中の抽出された全ての特徴用語の数は４である、すなわち、上の等式中でｎ＝４となる。
【００４７】
ｋ番目のカテゴリ中の各々の特徴用語の重みを上記の等式を用いて決定するとき、各々の特徴用語が選択された全ての公開済み関連情報中に出現する回数が、最初に決定される。具体的には、ｊ番目の特徴用語がｉ番目の片の公開済み関連情報中に出現する回数Ｄijが決定される。上記の例を続けると、上の等式で、ｉの値範囲は１〜３であり、ｊの値範囲は１〜４である。Ｄijを決定するとき、抽出された特徴用語が現行ページに出現する回数を決定する同じ方法（図２に示すような）を用い得る。具体的には、副情報の各々の分割された領域に対して、ｊ番目の特徴用語が、ｉ番目の公開済み関連情報片の副情報のそれぞれの領域に出現する回数を個々に決定する。さらにその上、回数と、副情報のこの領域に対して設定された重み値との積が決定される。副情報の分割された領域の積の和が、ｊ番目の特徴用語がｉ番目の公開済み関連情報片に出現する回数であるＤijとして設定される。
【００４８】
ブロックＳ３０６は、等式Ｓｉｇｍａ＿ｋ＝ΣjＷkjを用いてカテゴリの重みを決定する。
【００４９】
Ｓｉｇｍａ＿ｋは、カテゴリの重みである。言い換えれば、ブロックＳ３０５の方法に従ってｋ番目のカテゴリに属する公開済みの第１の設定数の関連情報片から抽出されたｋ番目のカテゴリの各々の特徴用語の重みＷkjを決定した後で、ｋ番目のカテゴリの全ての特徴用語の重みの和が、ｋ番目のカテゴリの重みとして設定される。
【００５０】
ブロックＳ３０７は、異なるカテゴリの各々のカテゴリの決定された重みと、このカテゴリの選択された第１の設定数の公開済み関連情報片から抽出された全ての特徴用語の決定された重みと、を設定されたカテゴリモデルとして定義する。
【００５１】
具体的には、分類されたカテゴリの数がＫであれば、各々のカテゴリ（ｋε［１，Ｋ］を持つ）に対して決定されたＳｉｇｍａ＿ｋと、各々のカテゴリに対して決定された各々のＷkjとが、設定されたカテゴリモデルとして定義される。
【００５２】
さらにその上、おなじ特徴用語が、公開済み関連情報の異なる片に出現し得る。設定されたカテゴリモデルの精度をさらに向上させるため、したがって、情報公開の精度をさらに向上させるために、ブロックＳ３０５の方法に従ってｋ番目のカテゴリのｊ番目の特徴用語の重みＷkjを決定した後で、本実施形態はさらに、各々のカテゴリに対して、カテゴリの選択された第１の設定数の公開済み関連情報内の特徴用語を含む公開済み関連情報片の数を決定し、各々のカテゴリに対する決定された数の和を決定し、カテゴリ中の特徴用語の重みを、カテゴリ中の特徴用語の重みと、和の逆数との積として再定義し得る。
【００５３】
言い換えれば、Ｗkjを決定した後、ＩＤＦkjを各々のカテゴリに対して決定する。ＩＤＦkjは、ｋ番目のカテゴリの選択された第１の設定数の公開済み関連情報内のｊ番目の特徴用語を含む公開済み関連情報片の数を表す。また、分類されるカテゴリの数をＫとすると、
【００５４】
【数２】
2015511051.tif 000004
【００５５】
が決定される。ＩＤＦjは、各々のカテゴリの決定された数の和である。最後に、
【００５６】
【数３】
2015511051.tif 000005
【００５７】
が決定される。Ｗ‘kjは、ｋ番目のカテゴリのｊ番目の特徴用語の再定義された重みである。
【００５８】
さらにその上、Ｓｉｇｍａ＿ｋが、同じ数の公開済み関連情報片が各々のカテゴリから選択される状況下で、決定される。しかしながら、実際には、異なるカテゴリ下で（すなわち、ある設定された時間期間内である設定数を超える回数クリックされた全ての公開済み関連情報片から）抽出された公開済み関連情報片の数は、異なり得る。例えば、ある設定時間期間内である設定数を超えるクリック数を持つ抽出された関連情報片の数は、１０００であり得る。カテゴリ１の公開済み関連情報片の数は５００、カテゴリ２の公開済み関連情報片の数は３００、カテゴリ３の公開済み関連情報片の数は２００である。Ｓｉｇｍａ＿１、Ｓｉｇｍａ＿２、およびＳｉｇｍａ＿３が決定されるとき、これらは、同じ数の公開済み関連情報片が異なるカテゴリから選択される状況下で決定される。したがって、本実施形態は、調整されたＳｉｇｍａ＿１、Ｓｉｇｍａ＿２、およびＳｉｇｍａ＿３が実際の状況をより良い方法で満足し、これで、取得されたカテゴリの精度および公開される情報の精度をさらに向上させることが可能となるように、Ｓｉｇｍａ＿１、Ｓｉｇｍａ＿２、およびＳｉｇｍａ＿３をさらに調整し得る。
【００５９】
具体的には、カテゴリの重みを決定した後、ある設定時間期間内にある事前設定された数を超える回数クリックされた全ての抽出された公開済み関連情報片の数が、第１のパラメータとして定義される。全ての抽出された公開済み関連情報片の中から、カテゴリに属する公開済み関連情報片の数が、第２のパラメータとして定義される。第２のパラメータと第１のパラメータとの間の比が決定される。カテゴリの決定された重みおよびこの比の積が、カテゴリの重みとして再定義される。
【００６０】
言い換えれば、ブロックＳ３０６の方法に従ってｋ番目のカテゴリの重みＳｉｇｍａ＿ｋを決定した後、ブロックＳ３０１で抽出され、かつ、ある設定された時間期間内に事前設定された数を超える回数クリックされたことが分かっている全ての公開済み関連情報片の数が、さらに第１のパラメータＱとして定義される。全ての抽出された公開済み関連情報片の中から、ｋ番目のカテゴリに属する公開済み関連情報片の数が、パラメータＱkとして定義される。第２のパラメータＱkと第１のパラメータＱとの間の比
【００６１】
【数４】
2015511051.tif 000006
【００６２】
が、決定される。最後に、
【００６３】
【数５】
2015511051.tif 000007
【００６４】
が、決定され、式中、Ｓｉｇｍａ＿ｋ’は、カテゴリの新しい重みとして定義される。
【００６５】
図３に示すようなカテゴリを設定する過程は、オフラインモードで実施され得る。この方法を用いてカテゴリモデルを取得した後、図２のブロックＳ２０３に示す過程である、オンラインモードでこのカテゴリモデルを用いて現行ページのカテゴリを決定する過程が、図４に示されている。
【００６６】
図４は、具体的には次の手順を含む、本開示の例示の実施形態に提供されるような現行ページのカテゴリを決定する詳細な過程を示す。
【００６７】
ブロックＳ２０３１は、各々のカテゴリに対して、次の等式を用いて、現行ページのカテゴリに属する推定値を決定する。
【００６８】
【数６】
2015511051.tif 000008
【００６９】
Ｐｒｏｂは、現行ページがカテゴリに属する推定値である。Ｎは、現行ページからの抽出された特徴用語の数である。ｈは、現行ページからのｈ番目の抽出された特徴用語である。Ｄhは、ｈ番目の抽出された特徴用語が現行ページに出現する回数である。Ｗkhは、ｋ番目のカテゴリ下でのｈ番目の抽出された特徴用語の重みである。ｌ2は、１以上の実数である。
【００７０】
具体的には、本実施形態は、現行ページが各々のカテゴリに属する確率を、（現行ページの一次情報から抽出された）各々の特徴用語が現行ページに出現する回数と、設定されたカテゴリモデルとに基づいて上記の等式を用いて推定して、現行ページが各々のカテゴリに属し得る推定値Ｐｒｏｂを取得する。
【００７１】
Ｗkhがｋ番目のカテゴリのｈ番目の特徴用語の重みであることを考慮すると、ｋ番目のカテゴリのｈ番目の特徴用語の重みは、推定値が上記の等式を用いて決定されるときに設定されたカテゴリモデルに存在しない場合、これは、ｋ番目のカテゴリ下の全ての公開済み関連情報片が、カテゴリモデルが設定されるときにｈ番目の特徴用語を含まないことを示す。この場合、Ｗkhの値がゼロに設定される、すなわち、ｋ番目のカテゴリ中のｈ番目の特徴用語の重みがデフォルトによってゼロである。
【００７２】
さらにその上、上記の等式中のＷkhは、カテゴリモデルが設定されるときに再決定されるＷ‘khによって置き換えられ得る。また、Ｓｉｇｍａ＿ｋは、公開済み情報の精度をさらに向上させるために、カテゴリモデルが設定されるときに再決定されるＳｉｇｍａ＿ｋ’によって置き換えられ得る。
【００７３】
ブロックＳ２０３２は、異なるカテゴリに対して決定された推定値の大きさに基づいて、推定値の降順に従って、第２の設定数のカテゴリを選択して、選択されたカテゴリを、現行ページのカテゴリとして設定する。
【００７４】
この実施形態では、ページは、異なるカテゴリの関連情報を公開し得る。したがって、現行ページが各々のカテゴリに属する推定値を決定することに応答して、より高い推定値を有する第２の設定数が、現行ページのカテゴリとして選択され得る。第２の設定数は、実際の必要性に基づいて定義することが可能である。
【００７５】
例えば、第２の設定数は、５として設定され得る。現行ページが各々のカテゴリに属する推定値を決定したことに応答した後で、カテゴリは、それぞれの決定された推定値の降順で配置され得る。最初の５つのカテゴリが選択され得る、すなわち、より大きい決定された推定値を有する５つのカテゴリが、現行ページのカテゴリとして選択される。
【００７６】
後続の手順では、これらの５つのカテゴリにそれぞれ属する関連情報は、関連情報の公開を完了するために、現行ページ上に公開される。
【００７７】
本開示の例示の実施形態の情報を公開する方法は、Ｂ２Ｂ、Ｂ２Ｃ、Ｃ２Ｃなどのビジネス情報を公開するシナリオおよび他の情報公開シナリオを含む、情報公開の異なるシナリオに適用され得る。
【００７８】
図５は、本開示の例示の実施形態に従って情報を公開する装置の構造図であり、具体的には、
現行ページ中の一次情報に対して用語区分化を実施し、現行ページから少なくとも１つの特徴用語を抽出するために用いられる特徴用語抽出モジュール５０１と、
抽出された特徴用語が現行ページに出現する回数を決定するために用いられる頻度決定モジュール５０２と、
特徴用語が現行ページに出現する決定された回数と、設定されたカテゴリモデルとに基づいて、現行ページのカテゴリを決定するために用いられるカテゴリ決定モジュール５０３と、
決定されたカテゴリに属する関連情報を現行ページ中に公開するために用いられる公開モジュール５０４と、
を備える。
【００７９】
特徴用語抽出モジュール５０１は、具体的には、現行ページの一次情報を、異なる領域の副情報に分割し、分割された領域の副情報に対して用語区分化を個別に実施するために用いられる。
【００８０】
頻度決定モジュール５０２は、具体的には、副情報の分割された領域に対して、特徴用語が副情報の領域に出現するそれぞれの回数を個別に決定し、特徴用語が副情報の領域に出現するそれぞれの回数と、副情報の領域に対して設定された重みとの積を決定し、副情報の領域の積の和を特徴用語が現行ページに出現する回数として設定するために用いられる。
【００８１】
カテゴリ決定モジュール５０３は、
モデル設定ユニット５０３１であって、設定された数を超える回数に対して設定された時間期間内にクリックされた全ての公開済み関連情報を抽出することと、公開済み関連情報に対して、公開済み関連情報のカテゴリを個々に決定することと、各々の異なるカテゴリに対して、次のこと：抽出されたカテゴリの公開済み関連情報から、第１の設定数の公開済み関連情報を選択することと、選択された第１の設定数の公開済み関連情報に対して、公開済み関連情報に用語区分化を実施することと、選択された公開済み関連情報から少なくとも１つの特徴用語を抽出することと、選択された第１の設定数の公開済み関連情報から抽出された全ての特徴用語に対して、等式
【００８２】
【数７】
2015511051.tif 000009
【００８３】
を用いてあるカテゴリ下の特徴用語の重みを決定することであって、式中、ｋは、そのカテゴリがｋ番目のカテゴリであることを表し、ｊは、その特徴用語が全ての抽出された特徴用語中でｊ番目の特徴用語であることを表し、Ｗkjは、カテゴリ中の特徴用語の重みであり、ｉは、カテゴリの選択された第１の設定数の公開済み関連情報の中でｉ番目の公開済み関連情報を表し、ｍは、第１の設定数であり、Ｄijは、選択されたｉ番目の公開済み関連情報片中に特徴用語が出現する回数であり、ｌ1は、１以上の実数であり、ｎは、選択された第１の設定数の公開済み関連情報の中から抽出された全ての特徴用語の個数である、重みを決定することと、等式Ｓｉｇｍａ＿ｋ＝ΣjＷkj（式中、Ｓｉｇｍａ＿ｋがカテゴリの重みである）を用いてカテゴリの重みを決定することと、異なるカテゴリの各々のカテゴリの決定された重みと、カテゴリの選択された第１の設定数の公開済み関連情報から抽出された全ての特徴用語の決定された重みとを、設定されたカテゴリモデルとして定義することと、を実施することと、のために用いられる、モデル設定ユニット５０３１を含む。
【００８４】
モデル設定ユニット５０３１は、カテゴリの特徴用語の重みを決定した後で、各々のカテゴリに対して、選択された第１の設定数の公開済み関連情報内の特徴用語を含む公開済み関連情報片の数を決定することと、各々のカテゴリに対する決定された数の和を決定することと、カテゴリ中の特徴用語の重みを、カテゴリ中の特徴用語の重みと和の逆数との積として再定義することと、のために用いられ得る。
【００８５】
モデル設定ユニット５０３１は、カテゴリの重みを決定した後で、ある設定された時間期間内である事前設定された数を超える回数クリックされた全ての抽出された公開済み関連情報片の数を第１のパラメータとして定義することと、全ての抽出された公開済み関連情報片の中からのカテゴリに属する公開済み関連情報片の数を、第２のパラメータとして定義することと、第２のパラメータと第１のパラメータとの間の比を決定することと、カテゴリの重みとこの比との積をカテゴリの重みとして再定義することと、
ために用いられ得る。
【００８６】
カテゴリ決定モジュール５０３はまた、
カテゴリ決定ユニット５０３２であって、各々のカテゴリに対して、等式
【００８７】
【数８】
2015511051.tif 000010
【００８８】
を用いて現行ページがカテゴリに属する推定値を決定することであって、式中、Ｐｒｏｂは、現行ページがカテゴリに属する推定値であり、Ｎは、現行ページからの抽出された特徴用語の数であり、ｈは、現行ページからのｈ番目の抽出された特徴用語を表し、Ｄhは、ｈ番目の抽出された特徴用語が現行ページに出現する回数であり、Ｗkhは、ｋ番目のカテゴリ下でのｈ番目の抽出された特徴用語の重みであり、ｌ2は、１以上の実数である、決定することと、異なるカテゴリに対して決定された推定値の大きさに基づいて、推定値の降順に従って第２の設定数のカテゴリを選択することと、選択されたカテゴリを現行ページのカテゴリとして設定することと、のために用いられる、カテゴリ決定ユニット５０３２を含む。
【００８９】
本開示の例示の実施形態は、情報を公開する方法および装置を提供する。本方法は、現行ページの一次情報を区分化し、現行ページから少なくとも１つの特徴用語を抽出し、抽出された特徴用語が現行ページに出現する回数を決定し、特徴用語が現行ページに出現する決定された回数と、設定されたカテゴリモデルとに基づいて、現行ページのカテゴリを決定し、決定されたカテゴリに属する関連情報を現行ページに公開する。直接的に現行ページから特徴用語を抽出し、特徴用語が現行ページに出現する回数と、設定されたカテゴリモデルとに基づいて現行ページのカテゴリを決定することによって、例示の実施形態は、現行ページに対して手動のラベル付けを実施する必要がない。したがって、情報公開の効率を向上させることが可能である。さらにその上、人為的エラーがなんら導入されないため、情報公開の精度が増す。
【００９０】
当業の技術者は、本開示の実施形態は、コンピュータソフトウエアの方法、システム、または製品として実現され得ることを理解すべきである。したがって、本開示は、ハードウエア、ソフトウエア、またはハードウエアおよびソフトウエアの組み合わせという形態で実現され得る。さらに、本開示は、コンピュータ読み取り可能プログラム命令を含む１つ以上のコンピュータ読み取り可能記憶デバイス（これに限られないが、ディスク記憶デバイス、ＣＤ−ＲＯＭ、光記憶デバイスなどを含む）上で実行可能なコンピュータソフトウエアの製品という形態で実現され得る。
【００９１】
本開示を、例示の方法、装置（デバイス）、およびコンピュータプログラム製品のフローチャートおよび／またはブロック図に従って説明した。フローチャートおよび／またはブロック図の過程および／またはブロックの各々過程および／またはブロックならびに組み合わせが、コンピュータプログラム命令という形態で実現され得ることを理解すべきである。このようなコンピュータプログラム命令は、汎用コンピュータ、特殊目的コンピュータ、埋め込みプロセッサ、またはマシンを生成するためにプログラム可能データ処理デバイスを有する別の処理装置に提供され得るものであり、これにより、フローチャートの１つ以上の過程および／またはブロック図の１つ以上のブロックに説明される１つ以上のブロックに示される機能を有する装置が、コンピュータまたはプログラム可能処理デバイスを有する他の処理装置が命令を実行することによって実現され得る。
【００９２】
このようなコンピュータプログラム命令もまた、コンピュータまたは別のプログラム可能データ処理装置に対して特定的な様式で機能させ得るコンピュータ読み取り可能メモリデバイスに記憶され得るため、命令装置を含む製造物は、コンピュータ読み取り可能メモリデバイスに記憶された命令に基づいて構築され得る。この命令デバイスは、フローチャートの１つ以上の過程および／またはブロック図の１つ以上のブロックによって示される機能を実現する。
【００９３】
コンピュータプログラム命令はまた、コンピュータまたは別のプログラム可能データ処理装置にロードされ得るため、一連の動作をコンピュータまたは他のデータ処理装置によって実行して、コンピュータで実施される処理を生成し得る。したがって、コンピュータまたは別のプログラム可能データ処理装置によって実行される命令は、フローチャートの１つ以上の過程および／またはブロック図の１つ以上のブロックを実施するために用いられ得る。
【００９４】
例えば、図６は、上述した装置のような例示の情報公開装置６００をより詳細に示す。１つの実施形態では、装置６００は、これに限られないが、１つ以上のプロセッサ６０１、ネットワークインターフェース６０２、メモリ６０３、および入／出力インターフェース６０４を含み得る。
【００９５】
メモリ６０３は、ランダムアクセスメモリ（ＲＡＭ）などの揮発性メモリおよび／またはリードオンリーメモリ（ＲＯＭ）もしくはフラッシュＲＡＭなどの不揮発性メモリの形態におけるコンピュータ読み取り可能媒体を含み得る。メモリ５０３は、コンピュータ読み取り可能媒体の例である。
【００９６】
コンピュータ読み取り可能媒体には、コンピュータ読み取り可能命令、データ構造、プログラムモジュール、もしくは他のデータなどの情報の記憶のためのなんらかの方法または技術で実装される、揮発性および不揮発性ならびに取り外し可能および取り外し不可能な媒体が含まれる。コンピュータ記憶媒体の例には、これに限られないが、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、リードオンリーメモリ（ＲＯＭ）、電気的消去可能プログラム可能リードオンリーメモリ（ＥＥＰＲＯＭ）、フラッシュメモリもしくは他のメモリ技術、コンパクトディスクリードオンリーメモリ（ＣＤ−ＲＯＭ）、デジタルバーサタイルディスク（ＤＶＤ）もしくは他の光ディスク、磁気カセット、磁気テープ、磁気ディスク記憶装置もしくは他の磁気記憶デバイス、または、コンピュータデバイスによるアクセスされるように情報を記憶するために用いることが可能ないずれかの他の非伝送媒体が含まれる。本明細書に定義されるように、コンピュータ読み取り可能媒体には、変調されたデータ信号および搬送波などの一過性の媒体は含まれない。
【００９７】
メモリ６０３は、プログラムモジュール／ユニット６０５およびプログラムデータ６０６を含み得る。１つの実施形態では、プログラムモジュール／ユニット６０５は、特徴用語抽出モジュール６０７、頻度決定モジュール６０８、カテゴリ決定モジュール６０９、および公開モジュール６１０を含み得る。一部の実施形態では、カテゴリ決定モジュール６０９は、モデル設定ユニット６１１およびカテゴリ決定ユニット６１２を含み得る。これらのプログラムモジュールおよび／またはユニットに関する詳細は、上述した前記の実施形態中に見受けられ得る。
【００９８】
本開示の好ましい実施形態を提供したが、当業の技術者は、基礎を成すその発明概念を理解すれば、これらの例示の実施形態に対して変更および修正を実施し得る。したがって、本明細書に添付される特許請求の範囲は、好ましい実施形態と、本開示の範囲に入る全ての変更および修正とを範囲に収めることを意図する。明らかに、当業の技術者は、本開示の精神および範囲から逸脱することなく、本出願に対して変更および修正を実行し得る。これらの変更および修正が、特許請求の範囲および本開示のこれらの同等物の範囲内にあれば、本開示は、このような変更および修正を範囲に収めることを意図する。
【図１】
2015511051.tif 000016
【図２】
2015511051.tif 000017
【図３】
2015511051.tif 000018
【図４】
2015511051.tif 000019
【図５】
2015511051.tif 000020
【図６】
2015511051.tif 000021
【国際調査報告】
2015511051.tif 000022